(57)【要約】【課題】部品点数を増やすことなくハンドルユニットの装飾性を向上させる。【解決手段】パチンコ機のハンドルユニットＧ１は、パチンコ機本体に配設された打球発射機構に接続する本体部４６と、回動操作により遊技球の発射強度を調節する操作部４９と、この操作部４９を前記本体部４６との間で挟み、該操作部４９を回動可能に保持する内カバー部材４７と、この内カバー部材４７の前面側を覆う外カバー部材４８とから構成される。内カバー部材４７の前面側に所要の装飾が施されると共に、外カバー部材４８の少なくとも一部が、装飾を視認可能な素材で形成される。そして、内カバー部材４７に外カバー部材４８が直接取付けられる。【選択図】図２
2005058361.tif 000002
【特許請求の範囲】
【請求項１】
遊技機本体に配設された打球発射機構に接続する本体部と、回動操作により遊技球の発射強度を調節する操作部と、この操作部を前記本体部との間で挟み、該操作部を回動可能に保持する内カバー部材と、この内カバー部材の前面側を覆う外カバー部材とを備えた遊技機のハンドルユニットにおいて、
前記内カバー部材の前面側に所要の装飾を施すと共に、前記外カバー部材の少なくとも一部を、前記装飾を視認可能な素材で形成し、
前記内カバー部材に前記外カバー部材を直接取付けるよう構成した
ことを特徴とする遊技機のハンドルユニット。
【請求項２】
前記本体部に突設された固定突起を、前記操作部に開設した開口に挿通して前記内カバー部材の後面側に設けた固定部に整合させた状態で、該固定突起と固定部とが本体部側から固定手段で固定されている請求項１記載の遊技機のハンドルユニット。
【請求項３】
前記内カバー部材に前記外カバー部材を固定する固定手段は、該外カバー部材の下側に位置している請求項１または２記載の遊技機のハンドルユニット。
【請求項４】
前記内カバー部材の前面側には、前記操作部の回動方向に沿って周設した立体的な波形形状からなる装飾が施され、前記外カバー部材を介して入射した光を該装飾で反射し得るようになっている請求項１〜３の何れかに記載の遊技機のハンドルユニット。
【発明の詳細な説明】
【技術分野】
【０００１】
この発明は、遊技機において、遊技球の打球発射装置における操作部分であるハンドルユニットに関するものである。
【背景技術】
【０００２】
従来から、パチンコ機等の遊技機においては、遊技盤の遊技領域に遊技球を発射するための打球発射装置が設けられている。すなわち、遊技機において機体の外郭をなす外枠内には、遊技盤の搭載枠とも称される中枠が設置され、この中枠の前面側下部に、遊技球を貯留する上下の球皿が装着されている。そして、下球皿の正面右側に、機前面に向かって突出するハンドルユニットを有する前記打球発射装置が設けられている。
【０００３】
このような打球発射装置が備えられた遊技機では、遊技者が前記ハンドルユニットの操作部を回動操作することで、本体内に設けられた打球発射機構から遊技盤の遊技領域に遊技球が発射されるようになっている。それと共に、前記操作部の回動操作量に応じて、発射される打球(遊技球)の強弱が決められる。そして、前記遊技球が遊技領域に設けられた所定の入賞口に入賞した場合は、遊技盤に設けられた図柄表示装置で図柄組合せゲームが行われる。
【０００４】
ところで、前記遊技機は、遊技盤面上だけではなく、枠部分やハンドルユニット等にも高い装飾性が求められている。例えば、特許文献１には、ハンドルユニットの装飾性を向上させるため、所要の模様等を表示した表示部を有する表示部材に透明なレンズ部材を被せ、該レンズ部材の少なくとも一部が前面に露出するようカバー部材で覆うよう構成したハンドルユニットが開示されている。
【特許文献１】特開２００３−３８７３８号公報
【発明の開示】
【発明が解決しようとする課題】
【０００５】
しかし、特許文献１のハンドルユニットは、装飾性を向上させるために部品点数が増加してしまう問題が指摘される。従って、部品点数が増加することにより、コストが増大してしまうことになる。また、前記ハンドルユニットは、遊技者が操作し易い大きさに設定され、部材の配設スペースは限られているため、部品点数の増加に伴い、各部品は小さくなり、組付け作業性を悪化させてしまう難点があった。
【０００６】
すなわちこの発明は、従来の技術に係る遊技機のハンドルユニットに内在する前記問題に鑑み、これらを好適に解決するべく提案されたものであって、部品点数を増やすことなく装飾性を向上させ得る遊技機のハンドルユニットを提供することを目的とする。
【課題を解決するための手段】
【０００７】
前記課題を克服し、所期の目的を達成するため、本発明に係る遊技機のハンドルユニットは、
遊技機(P)本体に配設された打球発射機構に接続する本体部(46)と、回動操作により遊技球の発射強度を調節する操作部(49)と、この操作部(49)を前記本体部(46)との間で挟み、該操作部(49)を回動可能に保持する内カバー部材(47)と、この内カバー部材(47)の前面側を覆う外カバー部材(48)とを備えた遊技機のハンドルユニットにおいて、
前記内カバー部材(47)の前面側に所要の装飾を施すと共に、前記外カバー部材(48)の少なくとも一部を、前記装飾を視認可能な素材で形成し、
前記内カバー部材(47)に前記外カバー部材(48)を直接取付けるよう構成したことを特徴とする。
【０００８】
また、前記本体部(46)に突設された固定突起(59)を、前記操作部(49)に開設した開口(60)に挿通して前記内カバー部材(47)の後面側に設けた固定部(47c)に整合させた状態で、該固定突起(59)と固定部(47c)とが本体部(46)側から固定手段(70)で固定される構成であってもよい。
【０００９】
更に、前記内カバー部材(47)に前記外カバー部材(48)を固定する固定手段(72)は、該外カバー部材(48)の下側に位置させた構成も採用することができる。
【００１０】
更にまた、前記内カバー部材(47)の前面側には、前記操作部(49)の回動方向に沿って周設した立体的な波形形状からなる装飾が施され、前記外カバー部材(48)を介して入射した光を該装飾で反射し得るようにしてもよい。
【発明の効果】
【００１１】
本発明に係る遊技機のハンドルユニットによれば、内カバー部材の前面側に所要の装飾を施すと共に、該内カバー部材を覆う外カバー部材を、装飾が透視可能な素材で形成することで、遊技者は外カバー部材を介して、装飾を施した内カバー部材を視認することができる。すなわち、ハンドルユニットに高い装飾性を付与することができる。そして、前記内カバー部材に前記外カバー部材を、直接取付けるようになっているため、ハンドルユニットの装飾部分を部品点数を増やすことなく、最低限の部品点数で構成しつつ、装飾性に優れたハンドルユニットを得ることができる。
【００１２】
また、本体部の固定突起と内カバー部材の後面側に設けた固定部とを、該本体部側から固定手段で固定しているから、本体部と内カバー部材との固定部位が内カバー部材の前面側に表れないので、内カバー部材の前面側に施した装飾を損うことがない。しかも、内カバー部材と外カバー部材とを固定する固定手段を、遊技者から視認し難い外カバー部材の下側に位置させることで、当該ハンドルユニットの前面側に施した装飾を損うことを回避できる。更に、内カバー部材の表面を立体的な波形形状とすると共に、光を反射し得るように構成することで、装飾に立体感が得られ、外カバー部材を介して入射した光が乱反射するので、装飾効果を更に向上することができる。
【発明を実施するための最良の形態】
【００１３】
遊技機本体に配設された打球発射機構に接続する本体部と、回動操作により遊技球の発射強度を調節する操作部と、この操作部を前記本体部との間で挟み、該操作部を回動可能に保持する内カバー部材と、この内カバー部材の前面側を覆う外カバー部材とから遊技機のハンドルユニットを構成する。また、前記内カバー部材の前面側に所要の装飾を施すと共に、前記外カバー部材の少なくとも一部を、前記装飾を視認可能な素材で形成する。そして、前記内カバー部材に前記外カバー部材を直接取付けるようにする。
【実施例】
【００１４】
次に、本発明に係る遊技機のハンドルユニットにつき、好適な実施例を挙げて、添付図面を参照しながら、以下詳細に説明する。なお本実施例では、中枠の正面内部に遊技盤がセットされた一般的なパチンコ機(遊技機)にハンドルユニットを採用した場合を主に示すこととする。
【００１５】
本実施例のパチンコ機Ｐは、その基本的構成の概要として図１に略示するように、外枠Ａの開口前面側に連結支持手段および施錠手段を利用して開閉および着脱が可能に組付けられる中枠Ｂの各部に、ガラス扉Ｄ付きの窓枠Ｃ、上下の球受け皿Ｅ,Ｆおよび後述する打球発射装置Ｇ等が装備されている一方、中枠Ｂの正面内部に所要の遊技盤Ｈが着脱交換可能にセットされており、そして該中枠Ｂの裏側にアウト球,セーフ球,賞品球の各処理部を有する機構セット盤(図示せず)が着脱可能に装備されている。
【００１６】
前記中枠Ｂは、その全体が合成樹脂成形されたものを例とし、前記外枠Ａの開口前面域に適合する外形枠サイズに成形されて内側に正面縦長方形の窓枠口１５を開口した枠体１４と、この枠体１４の裏側に一体成形されて窓枠口１５よりやや狭い開口面域を成形した収容保持枠(図示せず)とが、前後に連設された内外二重枠形態とされている。そして前記枠体１４においては、窓枠口１５の内周囲に前記窓枠Ｃを設置し得るようになっており、該窓枠Ｃにおけるガラス扉Ｄの下方面域に合わせて、前記上球受け皿Ｅが開閉および着脱可能に組付けセットされている。また前記窓枠口１５の下部に、下球受け皿Ｆや打球発射装置Ｇ等を設置するための前盤部１８が成形されている。
【００１７】
本実施例のパチンコ機Ｐにおける下球受け皿Ｆは、合成樹脂成形された台形箱枠状の外郭保護体２１で基本的に形成され、該外郭保護体２１と、この外郭保護体２１の開口内側にセットされる皿本体と、開口裏側に当接セットされる横長方形のセット盤(何れも図示せず)とを組付け整合してユニット化されている。このように構成された下球受け皿Ｆは、前盤部１８前面に対して位置決めされると共に、裏側から固定手段としてのビス等で固定セットされる。そして外郭保護体２１の右側部分には、後述のハンドルユニットＧ１を設置するための設置部２７が組付けられている。
【００１８】
前記中枠Ｂの右下部に装備される前記打球発射装置Ｇは、ハンドルユニットＧ１の打球操作に基いて上球受け皿Ｅから図示しない球送り装置を介して供給される遊技球を打出すものであって、その基本的な構成として、球円筒形グリップ状にユニット化された本実施例のハンドルユニットＧ１と、このハンドルユニットＧ１での操作入力条件に基いて駆動源が駆動されて打球動作を行なう打球駆動部および該打球駆動部の裏側にセットされ、該打球駆動部を制御する駆動制御部(何れも図示せず)からなる打球発射機構とから構成されている。そして前記ハンドルユニットＧ１は、前述したように下球受け皿Ｆの右側に組付けセットされ、また打球駆動部および駆動制御部は、前盤部１８の裏側に組付けセットされる。
【００１９】
本実施例に係るハンドルユニットＧ１については、図２または図３に示すように、合成樹脂成形されたグリップ用部材として、該ハンドルユニットＧ１の固定基体をなす本体部４６と、この本体部４６の前面に取着された内カバー部材４７に着脱可能に固定される略半球形の外カバー部材４８とからなる遊技者が握る把持部分と、リング状に樹脂成形されて本体部４６と内カバー部材４７との間に回動可能に支持された操作部４９とを互いに組付けてユニット化されている。そして前記下球受け皿Ｆに対しては、前記本体部４６の筒部５０を、前記設置部２７に嵌挿してビス等を利用したユニット固定手段５１で固定することにより、ハンドルユニットＧ１全体が平面外向き傾状に設置されて、遊技者は長時間の遊技に亘って楽に、かつ疲れずに把持操作ができるようになっている。なお、前記ユニット固定手段５１は、前記下球受け皿Ｆの前側において着脱できる位置にある。
【００２０】
また、前記本体部４６の筒部５０内の前側に、打球駆動部に対する可変抵抗器(ボリュームスイッチともいう)５２が組込まれて、その調整軸５３と前記操作部４９中心に設けられた係合片５４とが差込み結合される一方、該本体部４６の開口前側に打球駆動部に対するスイッチ５５および本体部４６の外側から操作可能なレバー状の操作片５６が組込まれており、また本体部４６の開口側外周に金属製または表面メッキされたタッチ感知環５７が取着されている。そして、これらの部材５２,５５,５７は、個々の配線を介して本体部４６の筒部５０内の後側に係止爪等を利用して組込まれた６極円筒形の中継用コネクタ５８に集約的に接続され、該中継用コネクタ５８を介して前記打球発射機構に制御信号を送っている。
【００２１】
前記内カバー部材４７は、略ドーム状に形成された部材であって、半球部分の中央部分には、前記操作部４９の突起部４９ａの挿通を許容し得る孔部４７ａが開設されている。また、前記内カバー部材４７における孔部４７ａの外方に位置して前面側に臨む部位には、前記操作部４９の回動方向に沿って周設した立体的な波形形状からなる装飾が施された装飾部４７ｂが形成されている。ここで、前記装飾部４７ｂは、光を反射する素材で形成されている。また、前記内カバー部材４７の後面側には、前記本体部４６の後述する固定突起５９に整合する部位に第１固定部４７ｃが設けられている。なお、前記内カバー部材４７は、前記装飾部４７ｂの表面に鏡面の如く入射された光を反射するように所要の処理を施したものや、または内カバー部材４７自体が鏡面の如く作用する材質を利用するもの等であって、外カバー部材４８を介して入射される光を有効に反射し得るものであれば、金属等材質および処理方法等は特に限定されない。
【００２２】
前記外カバー部材４８は、前記内カバー部材４７を被覆し得る寸法に設定した略ドーム状に形成された部材であって、該内カバー部材４７を内包した状態で、その開放端部を前記操作部４９に摺接させて該内カバー部材４７に組付けられている。そして、前記外カバー部材４８の少なくとも一部を、前記内カバー部材４７の装飾部４７ｂを視認可能な素材で形成している。すなわち、前記外カバー部材４８は、前記内カバー部材４７の装飾部４７ｂとの関係で所要の装飾効果を生じるように形成され、該外カバー部材４８全体を透明にする構成や、半透明または有色透明の構成等を採用することができる。前記外カバー部材４８は、前記内カバー部材４７の下部側面に設けられた第２固定部４７ｄと、該外カバー部材４８の下部側面に設けられた固定孔４８ａとを整合させてネジ等の第２固定手段(固定手段)７２で固定されている。すなわち、前記内カバー部材４７に外カバー部材４８を固定する第２固定手段７２は、該外カバー部材４８の下側に配置され、前記ハンドルユニットＧ１において下側に位置することになる。なお、図３中の符号７３は、外カバー部材４８の外表部中央に嵌着される円盤状の装飾部品を示す。
【００２３】
前記内カバー部材４７と操作部４９とは、互いの中心部の嵌合い部分である孔部４７ａおよび突起部４９ａを利用して位置決め結合されている。そして、前記本体部４６は、その前方に突設された複数(３個)の固定突起(内カバー部材４７用の連結ボスを兼用する)５９を、前記操作部４９における円弧状の案内孔(開口)６０,６０に挿通すると共に、前記内カバー部材４７の第１固定部４７ｃに整合させた状態で、該本体部４６側からネジ等の第１固定手段(固定手段)７０で固定することで、該本体部４６と内カバー部材４７との間に操作部４９を回動自在に保持している。ここで、前記操作部４９は、前記複数の固定突起５９が案内孔６０,６０に挿通されていることで、その回動方向および操作量が規制されており、弾性部材６１で常には戻り方向(図１における反時計方向)へ付勢されたもとで、回動操作量に応じて前記可変抵抗器５２をボリューム調整し得るようになっている。ここで、前記弾性部材６１は、前記操作部４９に所要の弾性力を付与するものであって、ねじりばね等が採用されるが、その他のばねであってもよい。
【００２４】
なお、前記スイッチ５５は、常にはＯＮ状態になっており、打球駆動部が動作可能な状態にあって、前記操作部４９の回動操作により打球駆動部が打球動作するようになっている。また、前記操作部４９の回動操作時に前記操作片５６を操作すると、前記スイッチ５５がＯＦＦ状態に切換えられ、前記打球駆動部による打球動作がストップするよう設定される。
【００２５】
そして、前記ハンドルユニットＧ１では、前記操作部４９の外周所要位置に指当て部６５が一体的に突出形成してあり、遊技者は自身の指を該指当て部６５に掛止しながら手先を捩じることにより、該操作部４９を回動操作するようになっている。このため前記指当て部６５は、半径外方向に突出して遊技者の指を好適に当て受け得る適宜高さに設定されると共に、ハンドルユニットＧ１の後方側(中枠Ｂ側)へ向けて所要長さ分だけ延出した条件で形成されており、指が当接する指当て面６６の面積を大きく設定してある。これにより、遊技者が指当て部６５に自身の指を掛止しながら前記操作部４９を回動操作し、この状態を長時間に亘って保持しながら遊技を行なったとしても、指に痛みを感じ得ないようになっている。なお本実施例では、合計３個の指当て部６５を操作部４９の外端所要位置に形成したものを例示しており、これにより複数本の指を各指当て部６５に掛けながら該操作部４９の回動操作を行なうことができる。
【００２６】
次に、実施例に係る遊技機のハンドルユニットの作用について説明する。前述のように構成されたハンドルユニットＧ１では、下球受け皿Ｆ側の設置部２７に、本体部４６の筒部５０を互いの位置決め手段(例えば凹溝と突条)を利用して嵌挿してユニット固定手段５１で連結する。これにより、筒部５０内のコネクタ５８が、前記設置部２７内の配線用のコネクタと嵌込み接続されたもとで、ハンドルユニットＧ１が下球受け皿Ｆの右側傾状部の前側から平面外向き傾状に突設され、遊技者が長時間に亘って楽に把持操作し得る状態位置にセットされる(図１参照)。
【００２７】
このように装備された打球発射装置Ｇでは、遊技者がハンドルユニットＧ１の把持部分を把持して、タッチ感知環５７を把持(接触)すると共に、指当て部６５に指を掛止しながら手先を捩じって操作部４９を回動操作することにより、駆動制御部でのパルス出力制御に基いて、前記打球駆動部が適宜タイミングで作動される。すなわち、タッチ感知環５７のタッチ検出条件と、操作部４９から解放された操作片５６の突出復帰によるスイッチ５５の検出条件が、駆動制御部に入力されることに基いて、上球受け皿Ｅから遊技球が供給され、駆動手段が駆動して遊技球を遊技盤Ｈ内に打込むようになる。なお、前記操作部４９が回動操作保持されている適時に、前記操作片５６を介してスイッチ５５をＯＮ,ＯＦＦ条件に切換えることにより、この切換え条件に合わせた球送り・打球作動に基いて、遊技球を単発的に打出すことが可能である。
【００２８】
前記内カバー部材４７の前面側に所要の装飾を施すと共に、該内カバー部材４７を覆う外カバー部材４８を、装飾が透視可能な素材で形成することで、遊技者は該外カバー部材４８を介して、装飾を施した内カバー部材４７を視認することができる。すなわち、前記内カバー部材４７と外カバー部材４８との組み合わせにより、一層の装飾効果の向上を図ることができる。また、前記内カバー部材４７に設けた第２固定部４７ｄに前記外カバー部材４８の固定孔４８ａを整合させて前記第２固定手段７２で固定することで、内カバー部材４７に外カバー部材４８を直接取付けるようになっている。従って、前記ハンドルユニットＧ１の装飾部分を部品点数を増やすことなく、最低限の部品点数で構成しつつ、装飾性に優れたハンドルユニットＧ１を得ることができる。
【００２９】
また、前記本体部４６の固定突起５９と前記内カバー部材４７の後面側に設けた第１固定部４７ｃとを、該本体部４６側から第１固定手段７０で固定しているから、本体部４６と内カバー部材４７との固定部位が内カバー部材４７の前面側に表れないので、該内カバー部材４７の前面側に施した装飾を損うことがない。しかも、前記内カバー部材４７と外カバー部材４８とを固定する第２固定手段７２が、遊技者から視認し難い該外カバー部材４８の下側に位置しているので、当該ハンドルユニットＧ１の前面側に施した装飾を損うことが回避される。更に、前記内カバー部材４７の前面を立体的な波形形状とすると共に、光を反射し得るように構成することで、装飾に立体感が得られ、前記外カバー部材４８を介して入射した光が乱反射するので、装飾効果を更に向上することができる。
【００３０】
なお、前記内カバー部材４７に施される装飾は、波形形状に限定されず、各種の凹凸形状やその他平面的な模様等、様々な態様が採用されることは云うまでもない。
【図面の簡単な説明】
【００３１】
【図１】本発明の好適な実施例に係るハンドルユニットが採用されるパチンコ機の一例を示す正面図である。
【図２】実施例に係る遊技機のハンドルユニットを示す概略斜視図である。
【図３】実施例に係る遊技機のハンドルユニットを分解して示す概略斜視図である。
【符号の説明】
【００３２】
４６  本体部
４７  内カバー部材
４７ｃ  固定部
４８  外カバー部材
４９  操作部
５９  固定突起
６０  開口(案内孔)
７０  第１固定手段(固定手段)
７２  第２固定手段(固定手段)
Ｐ  パチンコ機(遊技機)
【図１】
2005058361.tif 000003
【図２】
2005058361.tif 000004
【図３】
2005058361.tif 000005